(57)【要約】      （修正有）【課題】指の挿入が行い易い五本指靴下を提供する。【解決手段】丸編靴下編機で編成される五本指靴下において、各指袋６１〜６５の足底側をパイル編領域Ａとする。パイル編領域Ａでは、全コースがパイル編でもよいし、パイル編コースと非パイル編コースが交互に編成されてもよい。【選択図】図１
0003229057.tif 000002
【実用新案登録請求の範囲】
【請求項１】
丸編靴下編機で編成される五本指靴下において、各指袋の足底側がパイル編領域であることを特徴とする靴下。
【請求項２】
前記パイル編領域において、全コースがパイル編で編成されていること特徴とする請求項１記載の靴下。
【請求項３】
前記パイル編領域において、パイル編コースと非パイル編コースとが交互に編成されていること特徴とする請求項１記載の靴下。
【請求項４】
前記五本指靴下の各指袋の甲側が平編領域であることを特徴とする請求項１ないし請求項３のいずれか一項に記載の靴下。
【請求項５】
前記五本指靴下の各指袋に近い足底領域がパイル編であることを特徴とする請求項１ないし請求項４のいずれか一項に記載の靴下。
【請求項６】
前記五本指靴下の各指袋に近い足底領域と各指袋の足底のパイル編領域との間に非パイル編領域が存在することを特徴とする請求項１ないし請求項５のいずれか一項に記載の靴下。
【請求項７】
前記五本指靴下の各指袋に近い足底領域と各指袋の足底のパイル編領域とが連続してパイル編となっていることを特徴とする請求項１ないし請求項５のいずれか一項に記載の靴下。
【請求項８】
前記五本指靴下の指袋において、少なくとも親指用指袋の側面にＹ字状ゴアラインが形成されていることを特徴とする請求項１ないし請求項７のいずれか一項に記載の靴下。
【考案の詳細な説明】
【技術分野】
【０００１】
本考案は靴下、特に、五本指靴下に関するものである。
【背景技術】
【０００２】
五本指靴下は指と指の接触を防止し、指の間の蒸れを防止できるので、着用感の良さや足の衛生を考慮して、最近では多用されている。
【０００３】
五本指靴下は各指袋にそれぞれの足指をきちんと挿入しなければならないが、足の指は手の指のようには自由に動かないので、靴下の指袋に上手く挿入することが難しかった。このような問題を解決するために、いくつかの提案が成されている。
【０００４】
例えば、特開２００１−１２３３０１号公報（特許文献１）には、５本指挿入部の各内側面部と、足の裏面があたる靴下の内側面部に５つに分岐した５本指当て部付き５本指挿入促進シートを取付けることが開示されている。
【０００５】
実用新案登録第３１３７８８５号公報（特許文献２）には指袋に指をいれやすくするために、指の付け根の線に沿って、弾力のある樹脂材を線状に張り付けることが提案されている。
【０００６】
また、実用新案登録第３２０４７８８号公報（特許文献３）には、足の指収納部の挿入口付近に所定の弾性を有するコーティング剤をコーティングしたコーティング層を設けることが提案されている。
【０００７】
五本指靴下は横編機でも丸編靴下編機でも編成可能であるが、複雑な柄の編成ができること、また、フットカバーのようなレッグ部が存在しない靴下も編成できるので、本考案の靴下は丸編靴下編機で編成するものとする。
【０００８】
丸編靴下編機による五本指靴下の編成方法は特開２００７−３９８１５号公報（特許文献４）や特許第６５３５５５２号公報（特許文献５）により知られている。そして、特許文献４には、横編機による編成方法とは異なって、人指し指から小指までの編成に際して直前に使用した針群の一部を使用することにより、指袋を立体的にすることが可能で、指を挿入しやすい指袋になる構成や、指袋の編成時に目減らしおよび目増やしを行って爪先に向かって細くなる指袋とすると更に指を挿入しやすいものになることが、開示されている。
【先行技術文献】
【特許文献】
【０００９】
【特許文献１】特開２００１−１２３３０１号公報
【特許文献２】実用新案登録第３１３７８８５号公報
【特許文献３】実用新案登録第３２０４７８８号公報
【特許文献４】特開２００７−３９８１５号公報
【特許文献５】特許第６５３５５５２号公報
【考案の概要】
【考案が解決しようとする課題】
【００１０】
特許文献１〜３に開示された靴下においては、靴下の製造後に５本指挿入促進シートや弾力のある線状の樹脂材を取付けたり、コーティング層を設けたりしている。そのため、製造するのに手間隙が掛かり、さらに付加する付属物の費用も掛かり、製造コストが高くなるという問題がある。
【００１１】
また、特許文献４および特許文献５に開示の編成方法で製造された靴下でも、まだ指が挿入し難いという問題がある。
【００１２】
本考案は、五本指靴下において指の挿入が行い易い靴下を提供することを目的とする。
【課題を解決するための手段】
【００１３】
本考案は、丸編靴下編機で編成される五本指靴下において、各指袋の足底側がパイル編領域であることを特徴とする靴下により前記目的を達成する。
【考案の効果】
【００１４】
本考案によれば、五本指靴下の各指袋の足底側がパイル編領域であり、パイルのループが指袋の内側に形成されている。このパイルにより足指を挿入する際に指が浮いた状態になり、肌との接触が少なく、滑り易くなり、足指を挿入しやすい。また、パイルにより指袋がくたくたせず、指袋の形状を維持するので、足指を挿入し易い。
【図面の簡単な説明】
【００１５】
【図１】本考案の靴下の一実施例を示す平面図であり、（ａ）は靴下の前面（足甲側）を示し、（ｂ）は後面（足底側）を示す図である。
【図２】図１に示した実施例の靴下を編成する工程を示す展開図である。
【図３】編成時のシンカーと編針および編糸の関係を示す説明図であり、（ａ）は平編の場合、（ｂ）はパイル編の場合を示す。
【図４】本考案の靴下の別の実施例を示す平面図であり、（ａ）は靴下の前面（足甲側）を示し、（ｂ）は後面（足底側）を示す図である。
【図５】図４に示した実施例の靴下を編成する工程を示す展開図である。
【図６】図５に示した編成により製造される靴下の足裏側の指先部分の拡大説明図である。
【考案を実施するための形態】
【００１６】
以下、図面に示した実施例に基づいて本考案を詳細に説明する。
【００１７】
図１に示した本考案の実施例１の靴下は、履き口部１、レッグ部２、踵部３、足甲部４、足底部５および爪先部６からなる。図１において斜線を施した箇所がパイル編領域Ａであり、五本指靴下の各指袋６１、６２、６３、６４、６５の足底側がパイル編領域となっており、またこの実施例では、各指袋に近い足底領域（母指球、小指球を含む）５１もパイル編領域Ａとなっている。
また、この実施例では第２指袋６２、第３指袋６３、第４指袋６４および第５指袋（親指用指袋）６５と前記各指袋に近い足底領域５１との間、すなわち指の付け根部に、非パイル編領域が存在する。
本考案の靴下においては、パイル編領域Ａでは靴下の内側にパイルのループが突出した状態である。図１（ａ）に示すように、足甲側の各指袋６１、６２、６３、６４、６５はパイル編ではなく、平編となっている。各指袋を全部パイル編とすると、指袋の内部が狭くなる。あるいは靴を履いたときに靴と靴下が密着し窮屈に感じるので、足甲側の各指袋部分は平編みの方が好ましい。
【００１８】
本考案の五本指靴下はシングルシリンダーの靴下編機（例えば、Ｋ式靴下編機）を使用して編成される。図２に示すように、履き口部１、レッグ部２および足甲部４と足底部５は編機のシリンダーの全回転動により編成され、踵部３（３ａ、３ｂ）はシリンダーの往復半回転動により編成される。爪先部６の各指袋６１、６２、６３、６４、６５は後述するようにシリンダーの往復回転動により編成される。
【００１９】
本考案の靴下は表糸Ｙ１と裏糸Ｙ２との添え糸編で編成され、表糸Ｙ１がパイル糸となる。 表糸の素材は特に限定されず、天然繊維糸でも合成繊維糸でもよく、また、１種類の糸のみでもよい。裏糸Ｙ２はＦＴＹ糸（ポリウレタン弾性糸の芯糸に巻き糸（ナイロン糸やポリエステル糸）でカバリングしたもの）やウーリーナイロン糸のように伸縮性があるものが好ましい。
【００２０】
図２に示すように、履き口部１、レッグ部２、踵部３（３ａ、３ｂ）および足甲部４と足底部５が通常通りに編成される。なお、本考案において履き口部１はシングルトップでもダブルウェルトでもよい。
次に、この実施例では指袋の編成開始前に足裏側のみが、すなわち、指袋に近い足底領域５１となる箇所が、パイル編で編成される。続いて、足底部側編針の端部の複数本の編針を用いて編機のシリンダーを正逆往復回動させつつ、これらの複数本の編針の両端から徐々に減らして、減らし目による台形部６１ａをパイル編で編成する。続いて増やし目により台形部６１ｂを平編で編成する。これにより、第１指袋（小指用指袋）が形成される。この指袋は足底側がパイル編で足甲側にはパイルがない、平編である。
図３（ａ）に示すように、通常の編目（平編）を表糸Ｙ１と裏糸Ｙ２で編成する場合は、編針３０がシンカーレベルに位置する際に、２つの編糸は揃えられた状態でシンカーのプラットフォーム２１上に位置するように給糸される。これに対して、パイル編を編成する場合は、図３（ｂ）に示すように、表糸Ｙ１がシンカー２０のノーズ２２に跨り、裏糸Ｙ２はプラットフォーム２１上に位置する。このように表糸Ｙ１が長く給糸されることにより、パイルループが形成される。
第１指袋の編成後、編機のシリンダーを一方向に回転して、全編針により数コースの移行コース７を編成する。
その後、第１指袋６１を編成した編針のうち端の数本とそれに続く複数本の編針を使用して、第１指袋と同様にして、パイル編台形６２ａと平編台形６２ｂを編成する。
続いて、前述した過程と同様にして、移行コース７、第３指袋６３ａ、６３ｂ、移行コース７、第４指袋６４ａ、６４ｂ、移行コース７、第５指袋（親指用指袋）６５ａ、６５ｂおよびロッソコース、又はリンキングコースへの移行コース７を編成する。
このようにして、図１に示した五本指靴下を編成する。
この実施例において、移行コースはすべて平編で編成される。すなわち、図１において符号７で示した指の付け根部は非パイル編領域となる。
【００２１】
なお、前記パイル編領域Ａでは全部のコースがパイル編でもよいし、パイル編コースと非パイル編コースが交互に編成されてもよい。
【００２２】
図４には本考案の靴下の別の実施例が示されている。この実施例においては、足裏側のパイル編領域Ａが各指袋に近い足底領域５１と各指袋の足底のパイル編領域Ａとが連続してパイル編となっている。すなわち、指の付け根部分もパイル編になっている点が図１の実施例と異なっている。
また、図４に示した実施例では、足甲部４がメッシュ編になっている点で異なっている。メッシュ編は、例えばスパイラルメッシュで、裏糸Ｙ２は全部編目を作るが、表糸Ｙ１が編目とフロート（ミス）を交互にするなどして編成すればよい。足甲部４をメッシュ編にすると通気性が増加する。
図５は図４に示した靴下の編成工程を示す。この編成工程は下記の点で図２に示す編成工程とは異なっている。すなわち、移行コース７において、足裏側の部分７ａはパイル編で、足甲側の部分７ｂは平編である。また、第５指袋６５の編成において、指袋の先端になる箇所が小さなパイル台形部６５ｃと小さな平編台形部６５ｄが追加されている。これにより、指先先端部にＹ字状ゴアラインが形成される。このようにすることにより足の指先の膨らみに対応できる。
【００２３】
前述した実施例はいずれもレッグ部を有するものであるが、本考案の靴下は五本指靴下であれば、レッグ部の存在しない、フットカバーのような靴下にも適用できる。
【符号の説明】
【００２４】
１  履き口部
２  レッグ部
３  踵部
４  足甲部
５  足底部
６  爪先部
Ａ  パイル編領域
Ｙ１  表糸
Ｙ２  裏糸
２０  シンカー
５１  指袋に近い足底領域
６１  第１指袋
６２  第２指袋
６３  第３指袋
６４  第４指袋
６５  第５指袋
【図１】
0003229057.tif 000003
【図２】
0003229057.tif 000004
【図３】
0003229057.tif 000005
【図４】
0003229057.tif 000006
【図５】
0003229057.tif 000007
【図６】
0003229057.tif 000008